(57)【要約】【課題】パネル体（表示板）を位置決めし、振動を抑えて外形をコンパクトにできる計器装置を提供する。【解決手段】計器装置１０は、計測量を表示する表示部２０を備える計器装置１０であって、表示部２０に備えられる表示板（パネル体）２２の裏側に位置する中ケース（第１のケース）３２と、表示板２２の表側を覆い、少なくとも表示板２２における表示領域Ｓと対向する部分が透過性を有する表ケース（第２のケース）３３と、表示板２２と表ケース（第２のケース）３３との間に位置する振れ止めゴム（弾性部材）３５と、を備え、中ケース（第１のケース）３２は、表示板２２における表示領域Ｓ以外の部分を裏側から貫通して位置決めする位置決めピン（位置決め部）３２ｂを有し、振れ止めゴム（弾性部材）３５は、位置決めピン（位置決め部）３２ｂを覆い、位置決めピン（位置決め部）３２ｂと接触しない凹部３５ａが形成される。【選択図】図２
2019095397.tif 000002
【特許請求の範囲】
【請求項１】
計測量を表示する表示部を備える計器装置であって、
前記表示部に備えられるパネル体の裏側に位置する第１のケースと、
前記パネル体の表側を覆い、少なくとも前記パネル体における表示領域と対向する部分が透過性を有する第２のケースと、
前記パネル体と前記第２のケースとの間に位置する弾性部材と、を備え、
前記第１のケースは、前記パネル体における前記表示領域以外の部分を裏側から貫通して位置決めする位置決め部を有し、
前記弾性部材は、前記位置決め部を覆い、前記位置決め部と接触しない凹部が形成されている、
ことを特徴とする計器装置。
【請求項２】
前記第２のケースは、前記弾性部材に圧入される圧入部を備える、
ことを特徴とする請求項１に記載の計器装置。
【請求項３】
前記圧入部は、前記位置決め部と同軸上に配置されている、
ことを特徴とする請求項２に記載の計器装置。
【発明の詳細な説明】
【技術分野】
【０００１】
本発明は、計器装置に関する。
【背景技術】
【０００２】
計器装置は、計測量を表示する表示部を構成するパネル体（表示板）が中ケースと透過性の上ケースとの間に収容されて構成されている。
例えば、表示板は、中ケースに収容された液晶パネルに位置決めするため中ケースと一体に設けた位置決めピンを介して位置決めされ、表示板を覆うように透明な上ケースが取り付けられている（特許文献１参照）。
また、上ケースと中ケースの間には、表示板上に弾性部材の振れ止めゴムを介装することで、外部からの振動の伝達を抑えるようにしている。
【先行技術文献】
【特許文献】
【０００３】
【特許文献１】特開平８−１６４７７０号公報
【発明の概要】
【発明が解決しようとする課題】
【０００４】
このような計器装置では、計器装置をコンパクト化しようとすると、表示板を位置決めする位置決めピンは、表示板の外側にできるだけ近づけて配置する必要があり、これにより透過性の上ケースから覗き込むと位置決めピンが見えてしまう虞がある。また、中ケースに位置決めされた表示板上に振れ止めゴムを配置しようとすると、位置決めピンとの干渉を避ける必要があり、振れ止めゴムの配置スペースが必要となって一層計器装置が大きくなってしまうという問題がある。
【０００５】
本発明は上記問題点に鑑みてなされたものであり、パネル体（表示板）を位置決めし、振動を抑えて外形をコンパクトにできる計器装置を提供することを目的とする。
【課題を解決するための手段】
【０００６】
上記目的を達成するために、本発明に係る計器装置は、
計測量を表示する表示部を備える計器装置であって、
前記表示部に備えられるパネル体の裏側に位置する第１のケースと、
前記パネル体の表側を覆い、少なくとも前記パネル体における表示領域と対向する部分が透過性を有する第２のケースと、
前記パネル体と前記第２のケースとの間に位置する弾性部材と、を備え、
前記第１のケースは、前記パネル体における前記表示領域以外の部分を裏側から貫通して位置決めする位置決め部を有し、
前記弾性部材は、前記位置決め部を覆い、前記位置決め部と接触しない凹部が形成されている、
ことを特徴とする。
【発明の効果】
【０００７】
本発明によれば、パネル体（表示板）を位置決めし、振動を抑えて外形をコンパクトにすることができる。
【図面の簡単な説明】
【０００８】
【図１】本発明の計器装置の一実施形態に係る概略正面図である。
【図２】本発明の計器装置の一実施形態に係る部分拡大断面図である。
【図３】本発明の計器装置の一実施形態に係るパネル体（表示板）の部分正面図である。
【図４】本発明の計器装置の他の一実施形態に係るパネル体（表示板）の部分正面図である。
【発明を実施するための形態】
【０００９】
本発明の一実施形態に係る計器装置について図面を参照して説明する。
【００１０】
計器装置１０は、図１に示すように、例えば自動二輪車に搭載され、その自動二輪車の走行速度、エンジン回転数、残燃料量などの車両情報や時間（現在の時刻）などの計測量を表示部２０に表示する指示計器である。本実施形態では、現在時刻も計測量として捉えるものとする。
【００１１】
なお、以下の説明では、計器装置１０を正面視したときの（つまり、ユーザが計器装置１０を正面から見て計測値などの表示部２０を確認する場合の視認側を「表」とし、背面側を「裏」とする。
【００１２】
計器装置１０は、図２に示すように、表示部２０と、ケース３０と、を備え、表示部２０がケース３０内に収容されている。
【００１３】
表示部２０は、表示パネル２１と、表示板（パネル体）２２と、回路基板２３と、を備える。
【００１４】
表示パネル２１は、例えばＴＦＴ(Thin Film Transistor)型の液晶パネル（ＬＣＤ：Liquid Crystal Display）や有機ＥＬパネル（ＯＬＥＤ：Organic Electro Luminescence display）などのパネルで構成され、所定の計測量を報知するための画像を表示面に表示する。液晶パネル２１ａは、回路基板２３に実装された制御部（図示せず）と電気的に接続され、制御部による制御下に、走行速度、エンジン回転数、残燃料量などの車両情報や時間（現在の時刻）などの計測量を表示する。これらの計測量は、液晶パネル２１ａの透明電極による「日」の字型のセグメントからなる数字表示部や透明電極からなるバーグラフ表示部によって表示される。液晶パネル２１ａは、液晶パネル２１ａの表示面を露出させた状態でケース３０の中ケース（第１のケース）３２内に収容される。
これにより、表示パネル２１は、車両情報や時刻などの計測量を表示することで、車両の状態についての情報をユーザに視認させ報知することができる。
【００１５】
表示パネル２１の表面には、図２に示すように、表示板２２が中ケース３２を介して取り付けられている。表示板２２は、例えば、透明（有色透明も含む）のポリカーボネイト（Polycarbonate）樹脂からなる板材と、板材の表側及び／又は裏側に形成された遮光性（例えば、黒色）の印刷層と、から構成される。
印刷層は、計測量を表示可能な液晶パネル２１ａの表示エリア（図示せず）を除いた板材の表側及び／又は裏側に印刷形成される。
表示パネル２１に対して表示板２２を固定する場合に、表示パネル２１に対して表示板２２における表示領域Ｓがずれると、視認性やデザイン上の問題が生じることから、所定の位置に位置決めして取り付けられる。なお、位置決めについての詳細は、後述する。
【００１６】
回路基板２３は、例えば、ガスラエポキシ樹脂からなる絶縁性を有する長方形の板状の基材に各種配線がプリントされている。回路基板２３には、各種電子部品、例えば、抵抗器（図示せず）やＬＥＤ（Light Emitting Diode）（図示せず）が実装されるとともに、表示パネル２１を駆動制御する制御部（図示しないマイクロコンピュータなど）が実装されている。回路基板２３と制御部とが電気的に接続されている。制御部は、車両のＥＣＵ（Electronic Control Unit）と電気的に接続されており、ＥＣＵから取得した車両情報に基づいて表示パネル２１に車両速度などを示す画像を表示させる。また、制御部は、車両情報を計測する所定の機器、例えば、燃料計などと電気的に接続されている。制御部は、例えば燃料計からの計測量の信号を受け取り、この計測量の信号に基づいて所定の処理を行うことで、表示パネル２１を制御し、表示パネル２１に残燃料量の画像を表示させる。
【００１７】
ケース３０は、裏ケース３１と、中ケース（第１のケース）３２と、表ケース（第２のケース）３３と、の３つのケースを備えて構成されている。
【００１８】
裏ケース３１は、例えばＡＥＳ樹脂（Acrylonitrile Ethylene Styrene）からなり計器装置１０の裏側に位置し、表側（表ケース３３側）に向かって開口した箱状に形成されている。裏ケース３１には、表側から裏側に向かって開口した箱状に形成された表ケース３３が嵌め合わされて一つの収容空間を備える箱状となり、計器装置１０の外箱を構成する。中ケース３２は、嵌め合わされた裏ケース３１表ケース３３とで形成される内部空間に位置している。
【００１９】
中ケース３２は、第１のケースを構成しており、ポリプロピレン（Polypropylene）などの樹脂により白色に形成される。中ケース３２は、表側に表示部２０の表示パネル２１を収容する凹部が形成され、表示パネル２１を構成する液晶パネル２１ａが表示面を表側に向けた状態で収容される。中ケース３２は、裏側に回路基板２３が取り付けられる。回路基板２３は、一定距離の間隔を持って裏ケース３１の底板と対向し、裏ケース３１の内部に位置している。
裏ケース３１には、底板を貫通してケーブル挿通孔（図示せず）が形成され、外部から配線ケーブルが挿通されて回路基板２３の裏側に設けられたコネクタ（図示せず）を介して電気的に接続されている。
【００２０】
中ケース３２には、収容された表示部２０の液晶パネル２１ａを覆って表示板２２が配置される。中ケース３２は、周囲にフランジ部３２ａが表裏方向と直交して形成され、フランジ部３２ａに表示板２２が載置される。中ケース３２には、図２に示すように、フランジ部３２ａから表側に突き出して位置決めピン（位置決め部）３２ｂが周囲に複数個、例えば４個、一体に形成されている。一方、表示板２２には、位置決めピン３２ｂによって位置決めされる位置決め孔（被位置決め部）２２ａが位置決めピン３２ｂの位置に対応して形成してある。
これにより、中ケース３２から突き出している位置決めピン３２ｂに表示板２２の位置決め孔２２ａを入れるようにすることで互いを位置決めすることができる。
位置決めピン３２ｂは、表示板２２における表示領域Ｓの外側の中ケース３２に配置してあり、表ケース３３から覗き込んだ時に位置決めピン３２ｂの先端が見えないように構成する。
この位置決めピン３２ｂの配置および覗き込んだ時に見えなくする具体的な構成については、後述する。
本実施の形態では、例えば、図３に示すように、位置決めピン３２ｂの横断面形状を矩形に形成しておくとともに、位置決め孔２２ａを矩形の孔形状とし、位置決め孔２２ａの大きさを小さくしておく。これにより、位置決めピン３２ｂが位置決め孔２２ａに圧入されることで、位置決め孔２２ａと位置決めピン３２ｂとの間に隙間が形成されず、位置決め精度を高めることができるとともに、中ケース３２に収容された液晶パネル２１ａに対して表示板２２を確実に所定に位置に固定状態とすることができる。
位置決めピン３２ｂと位置決め孔２２ａとは、圧入して位置決めと同時に、固定状態とする場合に限らず、位置決め孔２２ａに対し、位置決めピン３２ｂをわずかな隙間を介して位置決めする場合であっても良く、この場合には、中ケース３２と表示板２２との固定は、ビス止めや接着テープなど他の固定手段が用いられる。
なお、位置決めピン３２ｂは、横断面形状を矩形にしたものに限らず、円柱部の先端を半球状に形成したもの、円柱部の先端を斜め４５度などの斜面に形成したもの、円錐状に形成したものなどとすることもできる。
また、被位置決め部は、位置決め孔２２ａに代えて、図４に示すように、切り欠き溝２２ｂで構成することもでき、切り欠き溝２２ｂを被位置決め部とする場合には、切り欠き溝２２ｂの溝の開口方向を交差する方向に変えておくことで、中ケース３２に対して表示板２２を所定に位置に位置決めすることができる。
【００２１】
表ケース３３は、第２のケースを構成しており、例えば、透明（有色透明も含む）樹脂で形成され、裏側（裏ケース３１側）に向かって開放した箱状に形成されている。表ケース３３は、裏ケース３１に嵌め合わされて一つの収容空間を備える箱状とされ、計器装置１０の外箱を構成する。この表ケース３３は、天板部３３ａと、天板部３３ａの周囲を囲む側板部３３ｂと、で箱状に構成され、さらに、側板部３３ｂの中間部から天板部３３ａと平行（もしくは非平行）に外側に突き出す環状の取付部３３ｃが形成され、例えば各部全体が透明に形成してある。
なお、表ケース３３は、中ケース３２に取り付けられた表示板２２における表示領域Ｓと対向する部分が少なくとも透視部となるように透明に形成されていれば良く、例えば天板部３３ａおよび側板部３３ｂを透明に形成したり、天板部３３ａのみを透明に形成する。表ケース３３の透明部分は、表示部２０の液晶パネル２１ａからの画像を示す光が透過し、視認できるものであれば良い。
表ケース３３は、裏ケース３１との間で中ケース３２を表裏方向から挟み込んだ状態で裏ケース３１に嵌合される。表ケース３３と裏ケース３１との間には、ケース３０内部への水又は塵埃等の進入を抑制するシール部材３４が介在している（図２参照）。
【００２２】
表ケース３３は、表示板２２を介して中ケース３２との間に振動の伝達を抑える振れ止めゴム（弾性部材）３５が周囲３カ所以上、例えば上述の位置決めピン３２ｂの個数と同一の４カ所設けられ、表裏方向から挟むように取り付けられている。
表ケース３３は、側板部３３ｂから裏側に突き出して振れ止めゴム３５に圧入される圧入部３３ｄが振れ止めゴム３５の個数に対応して、例えば４個形成してある。
この振れ止めゴム３５は、表ケース３３の表示板２２における表示領域Ｓと対向する少なくとも透明な部分の外側に配置され、表ケース３３から覗き込んだ時に中ケース３２に設けた位置決めピン３２ｂの先端部が見えないように配置される。すなわち、位置決めピン３２ｂを覆う位置に振れ止めゴム３５を配置している。また、圧入部３３ｄは、位置決めピン３２ｂと対向する位置に設けてある。
振れ止めゴム３５は、位置決めピン３２ｂを覆う部分に位置決めピン３２ｂと接触しない凹部３５ａが形成され、袋状の凹部３５ａによって位置決めピン３２ｂを覆っている。
これにより、中ケース３２に形成した位置決めピン３２ｂは、白色の樹脂製の先端部が黒色の樹脂製の表示板２２の位置決め孔２２ａから突き出して目立った状態となるのが、例えば表示板２２と同一色の黒色あるいは、黒色に近い暗色などのゴム素材の振れ止めゴム３５で覆うことで、見えなくすることができ、しかも目立たなくすることができる。
また、圧入部３３ｄと位置決めピン３２ｂとを同軸上に配置することで、位置決めピン３２ｂと振れ止めゴム３５とを表ケース３３の表示板２２における表示領域Ｓと対向する透明な部分の外側に別々に配置していた従来構造に比べ、２カ所にずらして配置することなく１カ所で済み配置スペースを小さくすることができる。これにより、計器装置１０自体（特に、縦横の寸法）をコンパクトにすることができる。
また、振れ止めゴム３５に凹部３５ａを形成して位置決めピン３２ｂと接触しないようにすることで、振れ止めゴム３５を組み立てる場合に予め変形状態で取り付けることを防止でき、振れ止め機能を損なうことなく組み立てることができる。
【００２３】
また、計器装置１０では、中ケース３２に収容された液晶パネル２１ａ（表示パネル２１）の表示をできるだけ有効に視認できるようにするため、表示板２２は、できるだけ大きく形成して表示板２２の外側部分を位置決めピン３２ｂで位置決めする必要があり、計器装置１０の外形（特に、縦横の寸法）は、できるだけコンパクトにする必要もある。
これに対し、計器装置１０では、表示板２２を大きくして液晶パネル２１ａを覆うようにしても位置決め孔２２ａを表示板２２の外側部分に形成し、中ケース３２の位置決めピン３２ｂで位置決めし、しかも位置決めピン３２ｂと同軸上に振れ止めゴム３５を配置して覆うことで、位置決めピン３２ｂと振れ止めゴム３５との配置スペースを小さくでき、表示板２２を大きくすると同時に、計器装置１０の外形をコンパクトにすることができる。
なお、中ケース３２の位置決めピン３２ｂと、表ケース３３の圧入部３３ｄは、同軸上に配置する場合に限らず、振れ止めゴム３５で位置決めピン３２ｂを覆い、しかも振れ止めゴム３５に圧入部３３ｄを圧入できればよく、対向して近接する位置であれば良い。
【００２４】
以上、一実施形態とともに、具体的に説明したように、計器装置１０によれば、計測量を表示する表示部２０を備える計器装置１０であって、表示部に備えられる表示板（パネル体）２２の裏側に位置する中ケース（第１のケース）３２と、表示板２２の表側を覆い、少なくとも表示板２２における表示領域Ｓと対向する部分が透過性を有する表ケース（第２のケース）３３と、表示板２２と表ケース（第２のケース）３３との間に位置する振れ止めゴム（弾性部材）３５と、を備え、中ケース（第１のケース）３２は、表示板２２における表示領域Ｓ以外の部分を裏側から貫通して位置決めする位置決めピン（位置決め部）３２ｂを有し、振れ止めゴム（弾性部材）３５は、位置決めピン（位置決め部）３２ｂを覆い、位置決めピン（位置決め部）３２ｂと接触しない凹部３５ａが形成されているので、中ケース３２の位置決めピン３２ｂを振れ止めゴム３５の凹部３５ａで覆うことで、表示板２２から突き出す位置決めピン３２ｂの先端部を表ケース３３の透過性の部分から見えないようにすることができる。また、振れ止めゴム３５で位置決めピン３２ｂを覆うことで、振れ止めゴム３５と位置決めピン３２ｂとを近接して配置することができ、これまでの２カ所に別々に配置する場合に比べ、配置スペースを小さくすることができ、計器装置１０の外形寸法をコンパクトにすることができる。また、位置決めピン３２ｂを覆う振れ止めゴム３５に凹部３５ａを形成して接触しない空間を確保するようにしたので、組み立ての際などに振れ止めゴム３５を変形させることがなく、振れ止め機能を確保しておくことができる。
【００２５】
また、計器装置１０によれば、表ケース（第２のケース）３３は、振れ止めゴム（弾性部材）３５に圧入される圧入部３３ｄを備えているので、表ケース３３と振れ止めゴム３５とを確実に連結することができ、振動の伝達を一層確実に抑えることができる。また、組み立ての際、表ケース３３に対する振れ止めゴム３５の位置ずれを防止して組み立てることもできる。
【００２６】
また、計器装置１０によれば、圧入部３３ｄは、位置決めピン（位置決め部）３２ｂと同軸上に配置されているので、位置決めピン３２ｂと振れ止めゴム３５との配置スペースを極限まで小さくすることができ、これにより、計器装置１０の外形寸法を一層コンパクトにすることができる。
【００２７】
なお、上記実施形態においては、ケース３０は、裏ケース３１と、中ケース（第１のケース）３２と、表ケース（第２のケース）３３と、を備えていたが、ケース３０は、表示パネル２１、表示板（パネル体）２２および回路基板２３等を収容可能であれば、この構成に限定するものでない。
【００２８】
また、上記実施形態においては、表示部２０は、表示パネル２１として液晶パネル２１ａを備えた、いわゆるデジタル式の表示部としたが、これに限らず、アナログ式の指針および文字板（パネル体）などを備える表示部であっても良い。
また、表示部２０は、液晶パネル２１ａのみで表示する場合を例に説明したが、液晶パネル２１ａによる画像表示だけでなく、ＬＥＤ（Light Emitting Diode）などの光源のＯＮ／ＯＦＦによる警告情報などを表示する部分を備えるものであっても良い。
【００２９】
また、上記実施形態では、計器装置１０は、自動二輪車に搭載する場合を例に説明したが、自動車、飛行機、船等に搭載されるものであっても良い。
また、本発明は、上記の実施形態に限定されることなく、種々の態様で実施することができる。
【符号の説明】
【００３０】
１０    計器装置
２０    表示部
２１    表示パネル
２１ａ  液晶パネル
２２    表示板（パネル体）
２２ａ  位置決め孔（被位置決め部）
２２ｂ  切り欠き溝
２３    回路基板
３０    ケース
３１    裏ケース
３２    中ケース（第１のケース）
３２ａ  フランジ部
３２ｂ  位置決めピン（位置決め部）
３３    表ケース（第２のケース）
３３ａ  天板部
３３ｂ  側板部
３３ｃ  取付部
３３ｄ  圧入部
３４    シール部材
３５    振れ止めゴム（弾性部材）
３５ａ  凹部
Ｓ      表示領域
【図１】
2019095397.tif 000003
【図２】
2019095397.tif 000004
【図３】
2019095397.tif 000005
【図４】
2019095397.tif 000006